(57)【要約】  本発明は、床置き式エアコンを提供し、床置き式エアコン（１０００）は、機体（１）と、ダクトアセンブリ（２）と、水溝具（３）と、ダクト切替部材（４）とを含み、機体（１）には機体給風口（１１）及び機体排風口（１２）が形成され、ダクトアセンブリ（２）は機体（１）に設けられ、ブロア給風口（２１１）及びブロア排風口（２１２）を有するブロア（２１）を含み、ブロア給風口（２１１）が機体給風口（２１２）と連通しており、水溝具（３）はダクトアセンブリ（２）に設けられ、内部にはタンク（３１）及び加湿部材（３２）が設けられ、ダクト切替部材（４）は、排風カバー（４１）及び切替風板（４２）とを含み、排風カバー（４１）には、間隔を空けて設けられた給風口（４１１）、第１及び第２排風口（４１２、４１３）が形成され、給風口（４１１）がブロア排風口（２１２）と連通しており、切替風板（４２）が排風カバー（４１）に設けられる。これにより、ダクト切替部材（４）を設けることにより、切替風板（４２）の位置を調整することにより、気流が流れる経路が調整され、床置き式エアコン（１０００）による加湿排風又は非加湿排風が実現される。
2020516839.tif 000002
【特許請求の範囲】
【請求項１】
床置き式エアコンであって、機体と、ダクトアセンブリと、水溝具と、ダクト切替部材とを含み、
前記機体には機体給風口及び機体排風口が形成され、
前記ダクトアセンブリは前記機体に設けられ、ブロア給風口及びブロア排風口を有するブロアを含み、前記ブロア給風口が前記機体給風口と連通しており、
前記水溝具は前記ダクトアセンブリに設けられ、内部にはタンク及び加湿部材が設けられ、
前記ダクト切替部材は、排風カバー及び切替風板を含み、
前記排風カバーには、間隔を空けて設けられた給風口、第１排風口、第２排風口が形成され、
前記給風口が前記ブロア排風口と連通しており、
前記切替風板が前記排風カバーに設けられ、
前記切替風板は、前記第１排風口を封止し且つ前記第２排風口を開ける第１位置と、前記第１排風口を開け且つ前記第２排風口を封止する第２位置との間に運動可能であり、
前記切替風板が前記第１排風口と前記第２排風口のうちの一方を封止するときに、前記給風口が前記第１排風口と前記第２排風口のうちの他方により前記機体排風口と導通し、
前記加湿部材が前記第１排風口に設けられる、
ことを特徴とする床置き式エアコン。
【請求項２】
前記水溝具が前記ダクトアセンブリに押し引き可能に設けられ、
前記タンク及び前記加湿部材が、前記水溝具内に着脱可能に設けられる、ことを特徴とする請求項１に記載の床置き式エアコン。
【請求項３】
前記水溝具が、前記ダクトアセンブリに着脱可能に設けられる、ことを特徴とする請求項１に記載の床置き式エアコン。
【請求項４】
前記水溝具及び前記ダクト切替部材がいずれも前記ダクトアセンブリの頂部に設けられ、
前記ブロア排風口が前記ブロアの頂部に形成され、
前記給風口が前記ブロア排風口と繋がるように前記排風カバーの底部に形成され、
前記第１排風口が前記排風カバーの側壁に形成され、且つ垂直方向に沿って配置され、
前記第２排風口が前記排風カバーの頂部に形成され、且つ前記第１排風口に対して傾いて配置される、
ことを特徴とする請求項１から請求項３の何れか一項に記載の床置き式エアコン。
【請求項５】
前記タンクが前記加湿部材の前記第１排風口から離れた側に位置し、且つ前記加湿部材と間隔を空けるように設けられる、
ことを特徴とする請求項４に記載の床置き式エアコン。
【請求項６】
前記第２排風口の一端が前記第１排風口の上端に近隣し、
前記第２排風口の他端が前記第１排風口から離れた方向に向かって下へ傾いて延びる、
ことを特徴とする請求項４に記載の床置き式エアコン。
【請求項７】
前記切替風板の一端が前記第２排風口の前記一端と前記第１排風口の上端との間に位置し、且つ前記排風カバーに回動可能に繋がっている、
ことを特徴とする請求項６に記載の床置き式エアコン。
【請求項８】
前記排風カバーにモータが設けられ、
前記モータは、前記切替風板を駆動してそれを前記第１位置と前記第２位置との間に回転させることに適すように前記切替風板の前記一端に繋がっている、
ことを特徴とする請求項７に記載の床置き式エアコン。
【請求項９】
前記加湿部材は、ウェットフィルムである、
ことを特徴とする請求項１に記載の床置き式エアコン。
【発明の詳細な説明】
【技術分野】
【０００１】
本発明は、空気調和機製造分野に関し、具体的には、床置き式エアコンに関する。
【背景技術】
【０００２】
現在、人々は空気の質にますます注意を払っているが、人間の健康を害する重要な要因としての室内空気汚染は、人々が空気の質を改善するための主要な考慮事項になっている。空気清浄機は市場で次第に普及しており、空気清浄機はチェックイン後に購入されて使用されることが多く、風量が不足しているため真の部屋全体の浄化は困難です。したがって、空気清浄機をエアコン室内機と組み合わせることができれば、より良い解決策になります。ただし、加湿モジュールをエアコン室内機パネルに直接追加すると、エアコンの運転性能に大きく影響し、具体的にはエアコンの出入風量に影響を与えたり、エアコンが空気温度を調整するための性能と効率が低下したりする。
【０００３】
また、関連技術では、加湿モジュールを床置き式エアコンに取り付けた後に、加湿が不要な場合、床置き式エアコンの調整は非常に不便である。
【発明の概要】
【発明が解決しようとする課題】
【０００４】
本発明は、先行技術に存在する技術的問題の少なくとも１つを解決することを目的とする。そのため、本発明は、多種な排風状態を実現することができ、例えば非加湿空気、加湿空気（多種な異なる加湿量の排風を含む）があり、さらにユーザーの使用体験を向上する床置き式エアコンを提供する。
【課題を解決するための手段】
【０００５】
本発明の実施例における床置き式エアコンによれば、機体と、ダクトアセンブリと、水溝具と、ダクト切替部材とを含み、前記機体には機体給風口及び機体排風口が形成され、前記ダクトアセンブリは前記機体に設けられ、ブロア給風口及びブロア排風口を有するブロアを含み、前記ブロア給風口が前記機体給風口と連通しており、前記水溝具は前記ダクトアセンブリに設けられ、内部にはタンク及び加湿部材が設けられ、前記ダクト切替部材は、排風カバー及び切替風板を含み、前記排風カバーには、間隔を空けて設けられた給風口、第１排風口、第２排風口が形成され、前記給風口が前記ブロア排風口と連通しており、前記切替風板が前記排風カバーに設けられ、前記切替風板は、前記第１排風口を封止し、且つ前記第２排風口を開ける第１位置と前記第１排風口を開け、且つ前記第２排風口を封止する第２位置との間に運動可能であり、前記切替風板が前記第１排風口と前記第２排風口のうちの一方を封止する時に、前記給風口が前記第１排風口と前記第２排風口のうちの他方により前記機体排風口と導通し、前記加湿部材が前記第１排風口に設けられる。
【０００６】
本発明の実施例における床置き式エアコンによれば、ダクトアセンブリのブロア排風口にダクト切替部材を設けることにより、切替風板の位置を調整することにより、さらに気流が流れる経路が調整され、床置き式エアコンによる加湿排風又は非加湿排風が実現され、且つ床置き式エアコンの排風の湿度がユーザーのニーズにより調整することができ、ユーザーの使用体験を向上する。
【０００７】
本発明の幾つかの実施例によれば、前記水溝具が前記ダクトアセンブリに押し引き可能に設けられ、前記タンク及び前記加湿部材が、前記水溝具内に着脱可能に設けられる。
【０００８】
本発明の幾つかの実施例によれば、前記水溝具が前記ダクトアセンブリに着脱可能に設けられる。
【０００９】
本発明の幾つかの実施例によれば、前記水溝具及び前記ダクト切替部材がいずれも前記ダクトアセンブリの頂部に設けられ、前記ブロア排風口が前記ブロアの頂部に形成され、前記給風口が前記ブロア排風口と繋がるように前記排風カバーの底部に形成され、前記第１排風口が前記排風カバーの側壁に形成され、且つ垂直方向に沿って配置され、前記第２排風口が前記排風カバーの頂部に形成され、且つ前記第１排風口に対して傾いて配置される。
【００１０】
本発明の幾つかの実施例によれば、前記タンクが前記加湿部材の前記第１排風口から離れた側に位置し、且つ前記加湿部材と間隔を空けるように設けられる。
【００１１】
本発明の幾つかの実施例によれば、前記第２排風口の一端が前記第１排風口の上端に近隣し、前記第２排風口の他端が前記第１排風口から離れた方向に向かって下へ傾いて延びる。
【００１２】
本発明の幾つかの実施例によれば、前記切替風板の一端が前記第２排風口の前記一端と前記第１排風口の上端との間に位置し、且つ前記排風カバーに回動可能に繋がている。
【００１３】
本発明の幾つかの実施例によれば、前記排風カバーにモータが設けられ、前記モータは、前記切替風板を駆動してそれを前記第１位置と前記第２位置との間に回転させることに適すように前記切替風板の前記一端に繋がっている。
【００１４】
本発明の幾つかの実施例によれば、前記加湿部材は、ウェットフィルムである。
【００１５】
本発明の付加の態様及び利点は、以下の説明には部分的に記載され、一部は以下の説明から明らかになるか、又は本発明の実施により理解される。
【００１６】
本発明の上記及び／又は付加の態様及び利点は、本明細書に記載の実施の形態の説明から明らかになり、容易に理解される。
【図面の簡単な説明】
【００１７】
【図１】本発明における実施例に係るダクト切替部材の構造概念図である。
【図２】本発明における実施例に係るダクト切替部材の分解図である。
【図３】本発明における実施例に係るダクトアセンブリ、水溝具、ダクト切替部材の構造概念図であり、そのうち、水溝具がダクトアセンブリ上から引き出される。
【図４】本発明における実施例に係るダクトアセンブリ、水溝具、ダクト切替部材の正面図である。
【図５】図４におけるＡ−Ａ線に沿う断面概念図である。
【図６】本発明における実施例に係るダクトアセンブリ、水溝具、ダクト切替部材の斜視図である。
【図７】本発明における実施例に係るダクトアセンブリ、水溝具、ダクト切替部材の別の視点の構造概念図である。
【図８】本発明における実施例に係るダクトアセンブリ、水溝具、ダクト切替部材の断面図である。
【図９】本発明における実施例に係るダクトアセンブリ、水溝具、ダクト切替部材の構造概念図であり、そのうち、水溝具が排ダクトアセンブリ及びダクト切替部材から外れた。
【図１０】本発明の実施例における床置き式エアコンに係る構造概念図である。
【図１１】本発明の実施例における床置き式エアコンに係る分解図である。
【発明を実施するための形態】
【００１８】
本発明の実施の形態を以下に詳細に説明され、実施の形態の例を図面に示しており、同一又は類似の参照番号は、同一又は類似の要素、又は同一又は類似の機能を有する要素を示している。添付の図面を参照して以下に説明する実施の形態は、本発明を例示したものであり、単に本発明を解釈するものであり、本発明を限定するものとして理解すべきではない。
【００１９】
本発明の説明において、「中心」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」、「軸方向」、「半径方向」、「円周方向」という用語などが指している向き又は位置関係は、図面に示されている向き又は位置関係に基づいたものであり、単に本発明の説明及び簡略化された説明の便宜上のものであり、示された装置又は要素が特定の向き、構成、及び操作を持たなければならないことを示す又は暗示するものではないので、本発明を限定するものとして理解すべきではない。
【００２０】
また、「第１」及び「第２」が限定している特徴は、１つ又は複数の当該特徴が明示的又は暗黙的に含まれます。本発明の説明において、「複数」は、特に明記しない限り、２つ以上を意味する。本発明の説明において、「取り付ける」、「繋がる」、及び「接続される」という用語は、特に明確な規定及び限定がない限り、広く理解されるべきであり、例えば、固定接続、着脱可能な接続、又は一体接続でもよく、機械的な接続、電気的な接続でもよく、直接接続や中間媒体を介して間接的に接続、２つの要素間の内部の連通でもよい。本発明における上記用語の具体的な意味は、当業者により具体的な状況によって理解され得る。
【００２１】
以下に図１から図１１を参照して本発明の実施例における床置き式エアコン１００を説明する。床置き式エアコン１００は単に冷房機能を有する冷房専用機でもよい。勿論、床置き式エアコン１００は同時に冷房及び暖房機能を有する冷暖機でもよい。本願の以下の説明において、床置き式エアコン２００を冷暖機とした例を説明する。
【００２２】
図１から図１１に示されたように、本発明の実施例における床置き式エアコン１００によれば、例えば冷暖機は、機体１、ダクトアセンブリ２、水溝具３、ダクト切替部材４を含む。
【００２３】
図４及び図１１に示されたように、機体１には機体給風口１１及び機体排風口１２が形成され、ダクトアセンブリ２が機体１のに設けられ、ダクトアセンブリ２がブロア２１を含み、ブロア２１がブロア給風口２１１及びブロア排風口２１２を有し、ブロア給風口２１１が機体給風口１１と連通することにより、ブロア給風口２１１が機体給風口１１から給風することができる。
【００２４】
図１から図８に示されたように、水溝具３がダクトアセンブリ２に設けられ、水溝具３内にはタンク３１及び加湿部材３２が設けられる。ダクト切替部材４が排風カバー４１及び切替風板４２を含み、排風カバー４１には間隔を空けて設けられた給風口４１１、第１排風口４１２、第２排風口４１３が形成され、給風口４１１がブロア排風口２１２と連通しており、切替風板４２が排風カバー４１に設けられ、切替風板４２は、第１排風口４１２を封止し且つ第２排風口４１３を開ける第１位置と、第１排風口４１２を開け且つ第２排風口４１３を封止する第２位置との間に運動可能である。切替風板４２が第１排風口４１２と第２排風口４１３のうちの一方を封止する時に、給風口４１１が第１排風口４１２と第２排風口４１３のうちの他方により機体排風口１２と導通し、加湿部材３２が第１排風口４１２に設けられる。
【００２５】
なお、第１位置は、切替風板４２が第１排風口４１２を封止し且つ気流が第２排風口４１３を通して機体排風口１２へ流れることに適す一つの位置状態（図示なし）であり、第２位置は、切替風板４２が第２排風口４１３を封止し、且つ気流が第１排風口４１２を通して機体排風口１２へ流れることに適す一つの位置状態（図１及び図５に示されたように）である。切替風板４２は、第１位置と第２位置との間に往復運動することができ、且つ必要に応じて第１位置と第２位置との間の何れか一つの位置にそのまま滞留していることができる。その時に、気流が切替風板４２の両側から流れ出すことができ、即ち部分的な気流が第１排風口４１２から流れ出し、もう一部の気流が第２排風口４１３から流れ出す。
【００２６】
タンク３１には、一定量の液体、例えば水等が貯蔵され、気流が加湿部材３２を流れる時に、気流を加湿することができる。切替風板４２が第１排風口４１２を完全に封止する（即ち、切替風板４２が第１位置にある）時に、給風口４１１が第２排風口４１３を通して機体排風口１２と導通し、気流が第２排風口４１３により流れ出すことができる。その時に、気流が加湿部材３２を流れないので、気流が加湿部材３２に加湿されない。切替風板４２が第２排風口４１３を完全に封止する（即ち、切替風板４２が第２位置にある）時に、給風口４１１が第１排風口４１２を通して機体排風口１２と導通し、気流が第１排風口４１２により流れ出すことができ、且つ気流が加湿部材３２を流れる。その時に、気流が加湿部材３２に加湿される。切替風板４２が第１位置と第２位置との間（その時に、上記第１位置及び第２位置を含まない）に介設する時に、気流が同時に第１排風口４１２及び第２排風口４１３から流れ出すことができる。その時に、第１排風口４１２から流れ出した部分的な気流だけを加湿することで、同様に気流を加湿する目的を達成することができる。
【００２７】
これにより、切替風板４２が第１位置にある時に、気流が第２排風口４１３から流れ出して加湿されなく、床置き式エアコン１００が非加湿に排風することを実現することができる。切替風板４２が第２位置にある時に、気流が第１排風口４１２だけから流れ出し、気流が加湿部材３２に加湿されなかった。その時に、床置き式エアコン１００による加湿能力が最も強い加湿排風が実現される。切替風板４２が第１位置と第２位置との間に介設する時に、床置き式エアコン１００が加湿排風することも実現される。その時に、床置き式エアコン１００の具体的な排風湿度は、実際のニーズにより相応的に調整することができる。ここで、説明したいのは、加湿部材３２が流れる気流（例えば、空気等）を加湿するだけではなく、同時に水洗浄の作用も有し、具体的には、加湿部材３２は、空気中に粒子を沈殿させて、新鮮な空気の作用を達成することができる。
【００２８】
理解できるのは、切替風板４２が第１位置と第２位置との間に介設する時に、切替風板４２と第１排風口４１２とが存在する平面との挟角が小さいほど、床置き式エアコン１００による排風の湿度が低い。切替風板４２と第１排風口４１２とが存在する平面との挟角が大きいほど、床置き式エアコン１００による排風の湿度が高い。
【００２９】
本発明の実施例における床置き式エアコン１００によれば、ダクトアセンブリ２のブロア排風口２１２にダクト切替部材４を設けるとともにダクト切替部材４の第１排風口４１２に加湿部材３２を設けることにより、切替風板４２の位置を調整することで、気流が流れる経路が調整され、さらに床置き式エアコン１００による加湿排風又は非加湿排風が実現され、且つ床置き式エアコン１００の具体的な排風湿度は、ユーザーの実際のニーズにより調整することで、ユーザーの使用体験を向上する。
【００３０】
図３に示されたように、本発明の幾つかの実施例において、水溝具３がダクトアセンブリ２に押し引き可能に設けられ、タンク３１及び加湿部材３２が水溝具３内に着脱可能に設けられる。具体的には、例えば、水溝具３をダクトアセンブリ２上から前へ引き出す（図３に示されたように）。その時に、タンク３１を水溝具３上から取り下げ、液体、例えば水等をタンク３１中に加入することができるようになり、且つ加湿部材３２が老化又は失陥した時に、加湿部材３２を交換するために取外すことができる。タンク３１には水量が十分である状態において、水溝具３を後へダクトアセンブリ２の直に押し戻すことができ、即ち水溝具３を引き出さない状態（図５を参照）にあり、操作が簡単で合理的なレイアウトになる。
【００３１】
図９に示されたように、本発明の幾つかの実施例において、水溝具３がダクトアセンブリ２に着脱可能に設けられ、図９では水溝具３をダクトアセンブリ２上から取り出した状態にあり、タンク３１における水量を補充することに便利なり、水溝具３をクリーンすることにも便利になり、且つ操作が簡単である。
【００３２】
図３から図９に示されたように、本発明の幾つかの実施例に係る床置き式エアコン１００において、水溝具３及びダクト切替部材４がいずれもダクトアセンブリ２の頂部に設けられ、ブロア排風口２１２がブロア２１の頂部に形成され、給風口４１１がブロア排風口２１２と繋がるように排風カバー４１の底部に形成され、第１排風口４１２が排風カバー４１の側壁に形成され、且つ垂直方向に沿って配置され、第２排風口４１３が排風カバー４１の頂部に形成され、且つ第１排風口４１２に対して傾いて配置される。これにより、水溝具３、ダクト切替部材４、ブロア２１の間のレイアウトはさらに合理化され、且つ気流がブロア２１からダクト切替部材４を流れる過程において、気流の流れ経路が短くなり、流れ損失が小さく、騒音が小さい。
【００３３】
理解できるのは、図３及び図９に示されたように、水溝具３を取り出す時に、第１排風口４１２が開放され、且つその時にブロア２１が外境界と連通され、外境界の塵埃等の汚染物がブロア２１に入るリスクがあるが、切替風板４２の位置を調整することにより、例えば、切替風板４２を第１位置に切り替え、その時に切替風板４２が第１排風口４１２を遮断することができ、これにより、ダクト切替部材４がブロア２１を保護することができ、外境界の塵埃等がダクト切替部材４を通してブロア２１に入ることが効果的に防止され、気流経路のクリーン性が保証され、且つブロア２１を通常運転させ、ブロア２１の使用寿命が長くなる。
【００３４】
図５から図８に示されたように、さらに、タンク３１が加湿部材３２における第１排風口４１２から離れた側に位置し、且つ加湿部材３２と間隔を空けて設けられることにより、気流が加湿部材３２を流れる時の排風量が保証され、且つ水溝具３とダクト切替部材４との間の構造はさらにコンパクトになり、各部材の間のレイアウトはさらに合理化される。
【００３５】
図５に示されたように、好ましくは、第２排風口４１３の一端（例えば、図５中の左端）が第１排風口４１２の上端に近隣し、第２排風口４１３の他端（例えば、図５における右端）が第１排風口４１２から離れた方向に向かって下へ傾いて延びる。このような構造設定では、ダクト切替部材４が占有する空間を効果的に節約することができ、且つ第１排風口４１２が位置する平面と第２排風口４１３が位置する平面との挟角が小さくなり、気流がダクト切替部材４から流れ出すことに便利になり、気流加湿状態における切替がよりよく実現され、即ち切替風板４２が排風方式（加湿又は非加湿）の変換を実現ために小さな角度を回転するだけでよく、構造は簡単で、レイアウトはさらに合理化される。
【００３６】
図３及び図５に示されたように、本発明の幾つかの好適な実施例において、切替風板４２の一端が第２排風口４１３の上記一端と第１排風口４１２の上端との間に位置し、且つ切替風板４２の上記一端が排風カバー４１に回動可能に繋がっている。このような接続方式は簡単で、且つ切替風板４２を回転することで異なる角度までに回転させることに便利になり、さらに床置き式エアコン１００の排風方式が調整される。
【００３７】
図１を図２に合わせて参照して、さらに、排風カバー４１にモータ４３が設けられ、モータ４３は、切替風板４２を駆動してそれを第１位置と第２位置との間に回転させることに適すように切替風板４２の上記一端に繋がっており、切替風板４２を連行して回転させることに便利になり、且つこの方式は簡単で信頼できる。
【００３８】
好ましくは、加湿部材３２はウェットフィルムであり、ウェットフィルムが水溝から自動的に水分を取り込むことができ、加湿部材３２が常に加湿状態にあることが保証され、空気がウェットフィルムを流れる時に、ウェットフィルムは空気中に粒子の沈殿物を沈殿させて、さらに良好な加湿効果及び新鮮な空気の効果を有する。ウェットフィルムの材料は、植物繊維又はガラス繊維に特殊な化学原料を加えて作成されることができ、良好な吸水性及び蒸発性を有する。
【００３９】
理解できるのは、加湿部材３２を定期的に取り出し洗浄して交換することができ、加湿部材３２が良好な加湿効果及び新鮮な空気の効果を有することが保証される。
【００４０】
好ましくは、図１０を図１１に合わせて参照して、ブロア給風口２１１には浄化モジュール２００も設けられ、その時に浄化モジュール２００がブロア２１の上流に設けられることができ、浄化モジュール２００がブロア２１内部に流れ込む空気に対する良好な浄化及びフィルタリング効果を有し、空気に対して浄化することができ、ユーザーの使用体験を向上する。ここで、説明したいのは、「上流」は、それぞれ気流の流れ方向の上流として理解することがきる。
【００４１】
図１０及び図１１に示されたように、床置き式エアコン１００は、室内熱交換モジュール３００及び空気処理モジュール１００を含み、空気処理モジュール１００が室内熱交換モジュール３００の下方に設けられることができる。勿論、空気処理モジュール１００は室内熱交換モジュール３００の上方に設けられることもできる（図示なし）。空気処理モジュール１００は、上記のダクトアセンブリ、水溝具、ダクト切替部材等を含み、流れる気流（例えば、空気等）を加湿処理するようになる。さらに、ブロアのブロア給風口の上流には、浄化モジュール２００が設けられ、それを流れる気流（例えば、空気等）に対して浄化するようになる。
【００４２】
室内熱交換モジュール３００は、室内熱交換モジュール３００を流れる気流（例えば、空気等）に対して冷却又は昇温をさせることにより、冷房又は暖房の目的を達成する。室内熱交換モジュール３００は冷房機能をだけ有することができ、勿論、室内熱交換モジュール３００は、冷房及び暖房機能をともに有することもできる。室内熱交換モジュール３００は熱交換機３２０及び室内熱交換ブロア３１０等を含むことができる。理解できるのは、室内熱交換モジュール３００の具体的な構造及び動作原理等は、当業者にとっては周知であり、ここでは説明を繰り返さない。
【００４３】
以下に図１から図１１を参照して本発明一つの具体的な実施例の床置き式エアコン１００の作動過程をさらに詳しく説明する。
【００４４】
床置き式エアコン１００が作動する時に、外境界空気が機体給風口１１を通して機体１に入り、且つ機体給風口１１がブロア給風口２１１と連通している。空気がブロア給風口２１１を通してブロア２１に入り、且つ空気がブロア給風口２１１にある浄化モジュール２００によりフィルタリングされて浄化され、ブロア２１に入る空気の質を向上させ、且つブロア２１に対する保護効果を有し、ブロア２１の使用寿命が長くなる。
【００４５】
ブロア２１の作用により、空気がブロア排風口２１２から流れ出すことができ、ブロア排風口２１２がダクト切替部材４の給風口４１１と連通している。その時に、ユーザーの実際のニーズによりダクト切替部材４における切替風板４２の位置を調整することができ、例えば、ユーザーが床置き式エアコン１００による加湿排風を必要とする時に、切替風板４２を第１位置と第２位置との間に介設する、又は第２位置までに調整することができ、床置き式エアコン１００による加湿排風が実現され、切替風板４２が第２位置にある時に、加湿効果が最もよい。切替風板４２を第１位置と第２位置との間に介設するまでに調整した時に、空気が第１排風口４１２及び第２排風口４１３から流れ出した後に合流され、床置き式エアコン１００内のダクトを通して機体排風口１２までに流れ、さらに機体排風口１２から流れ出すことができる。床置き式エアコン１００による排風の湿度に対するユーザーのニーズにより切替風板４２による回転の角度を調整することができる。
【００４６】
ユーザーが床置き式エアコン１００による加湿排風を不要とする時に、切替風板４２を第１位置までに調整することができ、即ち第１排風口４１２を封止する。これにより、多種な異なる湿度の排風が実現され、且つ空気が浄化され、ユーザーの使用体験を向上する。
【００４７】
本明細書の説明において、「一実施の形態」、「いくつかの実施の形態」、「例示的な実施の形態」、「例」、「具体的な例」や「いくつかの例」などの用語を参照した説明とは、この実施例又は例に合わせて説明した具体的な特徴、構造、材料又は特点が、本発明の少なくとも１つの実施の形態又は例に含まれることを意味している。本明細書において、上記の用語についての概念的な説明は、必ずしも同じ実施の形態又は例を意味するものではない。さらに、説明される具体的な特徴、構造、材料、又は特点は、任意の１つ又は複数の実施の形態又は例において適切な方法で組み合わせることができる。
【００４８】
本発明の実施の形態を示して説明したが、本発明の原理及び要旨から逸脱することなく、これらの実施の形態に対して様々な変更、補正、置き換え、及び変形をすることができることは、当業者によって理解すべきであり、本発明の範囲が特許請求の範囲及びその均等物によって定義される。
【符号の説明】
【００４９】
１０００  床置き式エアコン
１００  空気処理モジュール
１  機体
１１  機体給風口
１２  機体排風口
２  ダクトアセンブリ
２１  ブロア
２１１  ブロア給風口
２１２  ブロア排風口
３  水溝具
３１  タンク
３２  加湿部材
４  ダクト切替部材
４１  排風カバー
４１１  給風口
４１２  第１排風口
４１３  第２排風口
４２  切替風板
４３  モータ
４４  水位検出装置
２００  浄化モジュール
３００  室内熱交換モジュール
３２０  熱交換機
３１０  室内熱交換ブロア
【図１】
2020516839.tif 000003
【図２】
2020516839.tif 000004
【図３】
2020516839.tif 000005
【図４】
2020516839.tif 000006
【図５】
2020516839.tif 000007
【図６】
2020516839.tif 000008
【図７】
2020516839.tif 000009
【図８】
2020516839.tif 000010
【図９】
2020516839.tif 000011
【図１０】
2020516839.tif 000012
【図１１】
2020516839.tif 000013
【国際調査報告】
2020516839.tif 000014
2020516839.tif 000015
2020516839.tif 000016
2020516839.tif 000017
2020516839.tif 000018